(57)【特許請求の範囲】
【請求項１】
折り畳まれることによって帯状になり、当該帯状で巻き付けられることによって対象物に装着されうる巻きタオルにおいて、
面形状をなし、横方向の左右側で略１／３の寸法を有する折畳部位とその間の中央部位とからなる本体部と、該本体部の中央部位の上縁に延設された突出片部とからなり、
前記突出片部の一方面に第１の装着部材が設けられ、前記中央部位の縦方向下部であって前記第１の装着部材の装着面とは逆の面に前記第１の装着部材と接着及び剥離可能な第２の装着部材とが設けられ、
前記本体部の前記折畳部位と前記中央部位との間の部位が、前記折畳部位及び前記中央部位よりも厚さが薄いことを特徴とする巻きタオル。
【請求項２】
折り畳まれることによって帯状になり、当該帯状で巻き付けられることによって対象物に装着されうる巻きタオルにおいて、
面形状をなし、横方向の左右側で略１／３の寸法を有する折畳部位とその間の中央部位とからなる本体部と、該本体部の中央部位の上縁に延設された突出片部とからなり、
前記突出片部の一方面に第１の装着部材が設けられ、前記中央部位の縦方向下部であって前記第１の装着部材の装着面とは逆の面に前記第１の装着部材と接着及び剥離可能な第２の装着部材とが設けられ、
前記折畳部位の縦方向下部であって第１の装着部材の装着面と同一面に前記第１の装着部材と接着及び剥離可能な第３の装着部材が設けられていることを特徴とする巻きタオル。
【請求項３】
前記第１の装着部材と前記第２の装着部材、および前記第１の装着部材と前記第３の装着部材とで面ファスナーが形成されていることを特徴とする請求項２記載の巻きタオル。
【請求項４】
前記第１の装着部材は縦方向に長尺であることを特徴とする請求項１〜３のいずれかに記載の巻きタオル。
【発明の詳細な説明】
【０００１】
【発明の属する技術分野】
本発明は、折り畳まれることによって帯状になり、当該帯状で巻きつけられることによって対象物に装着されうる巻きタオルに関するものである。
【０００２】
【従来の技術】
一般的に、スポーツ等の場面でユーザがハンドタオルを携帯して使用する場合には、ハンドタオルはユーザの首にかけて使用されていた。
【０００３】
また、従来、折り畳まれることによって帯状になり、この帯状で巻きつけられることによって腕に装着されうる巻きハンカチが知られている。かかる巻きハンカチ本体は、横方向から折り畳むようになっており、折り畳み前の状態では正方形状を有する。巻きハンカチ本体は、表面側から平面視した場合に、横方向に隣接する右端部、中央部、左端部から成る。この右側部、中央部及び左端部の幅寸法は、それぞれ巻きハンカチ本体の上縁の１／３の長さである。この右端部の上縁に突出片部が延設されており、この突出片部の表面には面ファスナーを構成する一方の第１の接着面部が形成されている。一方、右端部の裏面には、その突出片部の縦方向下部に第１の接着部と接着、剥離自在の第２の接着面部が形成されている。
【０００４】
上記の腕巻きハンカチは、表面を上にして、左端部を中央部に重ねるように谷折りされ、左端部と重なっている中央部を右端部に重ねるように谷折りされることによって３つ折りの帯状に折り畳まれる。この帯状にされた状態で、第１の接着面部が形成されている面と逆の面において、突出片部と反対側の端部に第１の接着面部と接着及び剥離可能な第２の接着面部が位置することとなる。
【０００５】
このようにして形成された帯状の巻きハンカチを、ユーザが、腕に巻きつけて第１及び第２の接着面部を接着させることによって腕に装着し、この腕巻きハンカチを携帯することができる。
【０００６】
【発明が解決しようとする課題】
しかし、従来のように、首にかけてハンドタオルを携帯する場合には、激しい運動時には首からタオルが落ちてしまう場合があり、また、運動中にも拘わらずユーザは汗を拭く度に首にかけたハンドタオルを手で掴み、またその首にかけ直すという動作を繰り返さなくてはならないため煩わしかった。
【０００７】
また、従来の巻きハンカチを用いれば、ユーザは汗を拭く際に首にかけたハンドタオルを手で掴む動作をしなくてもよいものの、腕に装着した場合に表面となる汗拭き面の部位は、突出片部が設けられた面となり、また、逆向きに巻き付けても計２面までとなり、これらの部位の面が汗を吸いすぎて汗を吸わなくなってしまうという問題がある。
【０００８】
本発明は、上記の課題を解決するために、少なくとも３面以上の部位を汗拭き面に変えることができる巻きタオルを提供することを目的としている。
【０００９】
【課題を解決するための手段】
請求項１に記載の発明は、折り畳まれることによって帯状になり、当該帯状で巻き付けられることによって対象物に装着されうる巻きタオルにおいて、面形状をなし、横方向の左右側で略１／３の寸法を有する折畳部位とその間の中央部位とからなる本体部と、該本体部の中央部位の上縁に延設された突出片部とからなり、前記突出片部の一方面に第１の装着部材が設けられ、前記中央部位の縦方向下部であって前記第１の装着部材の装着面とは逆の面に前記第１の装着部材と接着及び剥離可能な第２の装着部材とが設けられ、前記本体部の前記折畳部位と前記中央部位との間の部位が、前記折畳部位及び前記中央部位よりも厚さが薄いことを特徴とするものである。
【００１０】
すなわち、第１の装着部材が形成されている面が内側になるように、両折畳部位を中央部位に向かって折り畳むことにより巻タオルが帯状に形成され、第１の装着部材と第２の装着部材とを接着させて、第２の接着部材が形成されている面における中央部位と両折畳部との三面のいずれかを表側にして対象物に巻きつけた状態で固定可能となる。すなわち、中央部位を表側にして汗拭き面とする態様と、この態様に対して逆向きに巻きつけて各折り畳み部位の一方の面を表側にして汗拭き面とする二つの態様との計３つの態様が可能となる。
【００１１】
そして、前記本体部の前記折畳部位と前記中央部位との間の部位が、前記折畳部位及び前記中央部位よりも厚さが薄いため、折畳部位を中央部位に向かって折り畳むことが容易となる。
【００１２】
請求項２に記載の発明は、折り畳まれることによって帯状になり、当該帯状で巻き付けられることによって対象物に装着されうる巻きタオルにおいて、面形状をなし、横方向の左右側で略１／３の寸法を有する折畳部位とその間の中央部位とからなる本体部と、該本体部の中央部位の上縁に延設された突出片部とからなり、前記突出片部の一方面に第１の装着部材が設けられ、前記中央部位の縦方向下部であって前記第１の装着部材の装着面とは逆の面に前記第１の装着部材と接着及び剥離可能な第２の装着部材とが設けられ、前記折畳部位の縦方向下部であって第１の装着部材の装着面と同一面に前記第１の装着部材と接着及び剥離可能な第３の装着部材が設けられていることを特徴とするものである。
【００１３】
かかる構成によれば、第１の装着部材が形成されている面と逆の面が内側になるように、両折畳部位を中央部位に向かって折り畳むことにより巻タオルが帯状に形成され、第１の接着部材が形成されている面における中央部位と両折畳部との三面のいずれかを表側にして対象物に巻きつけた状態で固定される。この場合、中央部位を表側にして汗拭き面とする態様と、この態様に対して逆向きに巻きつけて各折り畳み部位の面の一方を表側として汗拭き面とする２つの態様との計３つの態様が可能となる。
【００１４】
請求項３に記載の発明は、請求項２記載の巻きタオルにおいて、前記第１の装着部材と前記第２の装着部材、および前記第１の装着部材と前記第３の装着部材とで面ファスナーが形成されていることを特徴とする。
【００１５】
すなわち、折り畳み方によって、第１の装着部材と第２の接着部材と又は第１の接着部材と第３の装着部材との一方で接着が行われ、これにより、巻きタオルが対象物に固定される。
【００１６】
請求項４に記載の発明は、請求項１〜３のいずれかに記載の巻きタオル前記第１の装着部材は縦方向に長尺であることを特徴とする。すなわち、縦方向に長尺であるため、巻きつけの対象物の径、サイズに応じて装着時における寸法調整が可能となる。
【００１７】
【発明の実施の形態】
以下、図１〜図４を用いて本発明の一実施の形態にかかる腕巻きタオル１を説明する。図１は、本発明の一実施の形態にかかる腕巻きタオル１（巻きタオル）を表裏からみた平面図であり、（ａ）は、腕巻きタオル１を表側からみた平面図、（ｂ）は、腕巻きタオル１を裏側からみた平面図である。腕巻きタオル１は、帯状に折り畳んで、ユーザの腕（対象物）に巻きつけて固定されることによって、ユーザに携帯される。
【００１８】
図１に示すように、腕巻きタオル１は、四角形状を有する腕巻きタオル本体部２と、本体部２の中央部位の上縁に延設されている突出片部１０とから成っている。本体部２は、横方向で略１／３の寸法の位置で一点鎖線で示す折目ｘと折目ｙとで折り曲げられることによって、帯状に形成される。（ａ）に示すように、腕巻きタオル１は、突出片部１０を上方として、折目ｘと折目ｙとに挟まれた中央部位である中央部２１、折目ｘより外側である右側部２２（折畳部位）、折目ｙより外側である左側部２３（折畳部位）とから成っている。
【００１９】
ここでは、中央部２１の幅が、右側部２２及び左側部２３の幅に比して等しいか少なくとも大きく設定されている。なお、折目ｘ、折目ｙは、実際の腕巻きタオル１には付されていないが、付されていてもよい。また、折目ｘ、折目ｙは、厚さが中央部２１、右側部２２、左側部２３よりも薄くなっていてもよい。これによると、ユーザは、折目の位置が容易に理解でき、かつ折目で折り畳むことが容易になる。以下の説明においては、中央部２１の表面に添え字ｆを裏面に添え字ｂを付し、表裏の区別をしないときは添え字なしとして区別して表現する。
【００２０】
中央部２１ｆの縦方向下部には面ファスナーを構成する接着部材３０ａ（第２の接着部材）が設けられ、（ｂ）に示すように、突出片部１０ｂには装着部材３０ａと接着、剥離自在の装着部材３０ｂ（第１の装着部材）が設けられ、左右折畳部２２ｂ、２３ｂの縦方向下部には、装着部材３０ｃ，３０ｄ（第３の接着部材）が設けられている。各装着部材３０ａ，３０ｂ，３０ｃ，３０ｄは面形状を有し、装着部材３０ｂと装着部材３０ａ又は３０ｃ若しくは３０ｄとで面ファスナーが形成される。この実施の形態では、３０ｂは縦方向に長尺とされ、これによって３０ａとの接着、３０ｃ又は３０ｄとの接着において装着する寸法が調整可能になっている。なお、逆に装着部材３０ａ、装着部材３０ｃ、装着部材３０ｄを長尺とすることも可能である。
【００２１】
以下、図２を用いて、表面が表側となるように腕巻タオル１を折目ｘ，ｙで折り畳んで帯状に形成する第１の装着方法を説明する。（ａ）は第１の装着方法の第１段階、（ｂ）は同方法の第２段階、（ｃ）は同方法の第３段階、（ｄ）は同方法の第４段階を示す図である。以下、表側を基準にして説明する。
【００２２】
（ａ）、（ｂ）に示すように、第１段階及び第２段階では、右側部２２ｆと左側部２３ｆとを折目ｘと折目ｙとで山折りにして、折り畳んで帯状に形成する。なお、図２では右側部２２ｆが左側部２３ｆの外側になるように折り畳んでいるが、逆に左側部２３ｆが外側になるように折り畳んでも良い。そして、（ｃ）に示すように、第３段階で、腕巻きタオル１は、中央部２１ｆが表側になるようにして巻き回され（ユーザの腕は省略）、（ｄ）に示すように、第４段階で、装着部材３０ａと装着部材３０ｂとが互いに接着されることによって、ユーザの腕に装着固定される。
【００２３】
また、第１の装着方法の（ｃ）、（ｄ）とは逆に右側部２２ｆが表側となるようにユーザの腕に巻きつけられて、接着部材３０ａと装着部材３０ｂとが互いに接着されることによって、ユーザの腕に固定することも可能である。さらに、左側部２３ｆを右側部２２ｆの外側になるように折り畳み、この左側部２３ｆが表側となるようにユーザに腕に巻きつけられて、接着部材３０ａと装着部材３０ｂとが互いに接着されることによって、ユーザの腕に固定することも可能である。
【００２４】
上述したように、ユーザは、表側が中央部２１ｆ又は右側部２２ｆ、若しくは左側部２３ｆとなるように折り変えて腕巻きタオル１を腕に携帯することができ、表面全ての面を汗拭き面として使用可能である。
【００２５】
次に、図３を用いて、裏面が表側となるように表面腕巻タオル１を折目ｘ，ｙで折り畳んで帯状に形成する第２の装着方法を説明する。（ａ）は第２の装着方法の第１段階、（ｂ）は同方法の第２段階、（ｃ）は同方法の第３段階、（ｄ）は同方法の第４段階を示す図である。以下、表側を基準として説明する。
【００２６】
（ａ）に示すように、第１段階及び第２段階では、左側部２３ｆを、折目ｙで谷折りにして、突出片部１０を中心として左側部２３ｂが表側になるように内側へ折り畳む。（ｂ）に示すように、第２段階では、右側部２２ｆを、折目ｘで谷折りにして、突出片部１０を中心として右側部２２ｂが左側部２３ｂの外側になるように内側へ折り畳むことによって、帯状に形成する。そして（ｃ）に示すように、第３段階では、帯状に形成されている腕巻きタオル１は、その右側部２２ｂが表側になるように巻き回され（ユーザの腕は省略）、（ｄ）に示すように、第４段階で、装着部材３０ｃと装着部材３０ｂとが互いに接着されることによって、ユーザの腕に装着固定される。また、第２の装着方法の（ｃ）、（ｄ）とは逆に中央部２１ｂが表側となるようにユーザの腕に巻きつけられて、接着部材３０ｂと装着部材３０ｃとが互いに接着されることによって、ユーザの腕に固定されることも可能である。
【００２７】
従って、上述した第２の方法では、ユーザは、表側が中央部２１ｂ、右側部２２ｂとなるように折り変えて腕巻きタオル１を腕に携帯することができ、中央部２１ｂ、右側部２２ｂを汗拭き面として使用可能である。
【００２８】
次に、図４を用いて、上述した腕巻タオル１を裏面が表側になるように折目ｘ，ｙで折り畳んで帯状に形成する第３の装着方法を説明する。（ａ）は第３の装着方法の第１段階、（ｂ）は同方法の第２段階、（ｃ）は同方法の第３段階、（ｄ）は同方法の第４段階を示す図である。以下、表側を基準として説明する。
【００２９】
（ａ）に示すように、第１段階では、右側部２２ｆを、折目ｘで谷折りにして、右側部２２ｂが表側になるように突出片部１０を中心として内側へ折り畳む。（ｂ）に示すように、第２段階では、左側部２３ｆを、折目ｙで谷折りにして、左側部２３ｂが右側部２２ｂの外側になるように突出片部１０を中央として内側へ折り畳むことによって、帯状に形成する。そして、（ｃ）に示すように、第３段階で、帯状に形成されている腕巻きタオル１は、左側部２３ｂが表側になるようにしてユーザの腕に巻き回され（ユーザの腕は省略）、（ｄ）に示すように、装着部材３０ｄと装着部材３０ｂとが互いに接着されることによって、ユーザの腕に装着固定される。また、第３の方法の（ｃ）、（ｄ）とは逆に、中央部２１ｂを表側としてユーザの腕に巻きつけられ、装着部材３０ｄと装着部材３０ｂとが互いに接着されることによって、腕巻きタオル１をユーザの腕に装着固定することもできる。
【００３０】
上述した第３の方法では、ユーザは、表側が左側部２３ｂ又は中央部２１ｂとなるように腕巻きタオル１を腕に携帯することができ、左側部２３ｂ又は中央部２１ｂを用いて汗を吹くことができる。
【００３１】
このように、本実施の形態にかかる腕巻きタオル１は、上縁の中央部に突出片部１０を有し、突出片部１０を中心として左右側を内側へ折り畳むことによって、帯状に形成され、突出片部１０ｂに装着部材３０ｂが形成され、下縁の近傍において、表面の中央位置（表面中央部２１）及び裏面の両側位置（右側部２２ｂ、左側部２３ｂ）に各装着部材３０ａ，３０ｃ，３０ｄがそれぞれ形成されているため、腕巻きタオル１の表面及び裏面の全面すなわち６面を汗拭き面として使用することが可能である。
【００３２】
もっとも、本実施の形態にかかる腕巻きタオル１の各装着部材３０ａ，３０ｃ，３０ｄが形成されている位置形状は一例であり、本発明は、左右両側のうちいずれの側を外側にして折り畳まれた場合であっても、腕に巻きつけられた状態で突出片部１０に形成されている装着部材３０ｂと接面する位置に装着部材３０ｂと着脱可能な装着部材とを有すればよい。
【００３３】
なお、腕巻きタオル本体部２の形状は、本実施の形態では四角形状であるが、本発明は、必ずしもこの形状に限定されず、他の多角形状であっても、円形状であってもよい。ここで、円形状である場合には、円の縁におけるいずれの位置に突出片部１０があってもよく、突出片部１０を基準として両側を内側へ折り畳んで帯状に形成できればよい。なお、本発明は、タオルだけではなく、ハンカチに適用することも可能である。
【００３４】
また、本実施の形態の変形例として、上記各６面を上として折り畳んだ場合で異なる意匠が施されていてもよい。例えば、中央部２１ｆ，ｂ、右側部２２ｆ，ｂ及び左側部２３ｆ，ｂそれぞれに施されている色彩や模様が異なっていてもよい。これによって、ユーザは、１枚で複数種類のデザインを見て楽しむことができる。
【００３５】
【実施例】
図５〜図８を用いて、上記した本発明の一実施の形態の実施例を以下に説明する。図５は本実施例にかかる腕巻きタオル１の６面図である。（ａ）は腕巻きタオル１の全体の６面図、（ｂ）は（ａ）に示す腕巻きタオル１の特徴的な部分である突出片部１０及び各装着部材３０ａ〜３０ｄを明らかに示すための腕巻きタオル１の６面図である。図６は図５に示す腕巻きタオル１の斜視図、図７は帯状に折り畳まれている図５に示す腕巻きタオル１の斜視図、図８を輪に形成されている図５に示す腕巻きタオル１の斜視図である。図５（ａ），（ｂ）において、最も左方の側面図は左側面図、左側面図の右側の図は正面図、正面図の上方の図は平面図、正面図の下方の図は底面図、正面図の右方の側面図は右側面図、右側面図の右方の図は背面図である。図５（ｂ）において、腕巻きタオル１全体は破線で示しており、特徴的な部分である突出片部１０及び各装着部材３０ａ〜３０ｄは実線で示されている。
【００３６】
本実施例では、特徴部分である突出片部１０は、腕巻きタオル１全体において占める割合は、高さ方向で略２割、横方向で略３．５割である。また、腕巻きタオル１は、横方向で２００ｍｍ、高さ方向で２６０ｍｍの寸法を有し、突出片部１０は、高さ方向で５５ｍｍ、横方向で７０ｍｍの寸法を有する。
【００３７】
また、各装着部材３０ａ〜ｄは面ファスナーで形成されている。そして、この腕巻きタオル１は、図７に示すように左右側を背面に向かって折り畳むことによって帯状に形成され、図８に示すように突出片部１０に形成されている装着部材３０ｂと表面とに形成されている装着部材３０ａとが接着することによってリストバンドのように輪状に形成され、ユーザの腕に巻きつけられて使用される。
【００３８】
【発明の効果】
請求項１に記載の発明によれば、第１の接着部材が形成されている面とは逆面における中央部位と、両折畳部との三面を表側にして対象物に巻きつけた状態で固定することができるため、三面を折り畳み変えて、汗拭き面として使用することができる。
【００３９】
また、折畳部位を中央部位に向かって折り畳むことが容易となり、帯状に形成した状態で折目部分が膨れた状態になることを効果的に妨げることができる。
【００４０】
請求項２に記載の発明によれば、更に、第１の接着部材が形成されている面における中央部位と、両折畳部との三面を外側にして対象物に巻きつけた状態で固定することができるため、巻きタオルの表裏全面を汗拭き面として使用することができる。
【００４１】
請求項３に記載の発明によれば、第１の装着部材と第２又は第３の装着部材と面ファスナーを構成するため、第１の装着部材のいずれかの部位と第２又は第３の装着部材のいずれかの部位とで接着すれば、巻きタオルを対象物に固定することができるため、ユーザの各装着部材間での接着操作が容易である。
【００４２】
請求項４に記載の発明によれば、第２又は第３の装着部材をこの第１の装着部材の上方でのみ接着させる場合とその全面で接着させる場合とで巻きつけた状態での巻きタオルの長さを変えることができるため、巻き対象物の太さに合わせて巻きタオルの長さの調整が可能である。
【図面の簡単な説明】
【図１】  本発明の一実施の形態にかかる腕巻きタオル１を表裏からみた平面図であり、（ａ）は、腕巻きタオル１を表側からみた平面図、（ｂ）は、腕巻きタオル１を裏側からみた平面図である。
【図２】  図１に示す腕巻タオルを折目ｘ，ｙで折り畳んで表面が表側になるように帯状に形成する第１の方法を説明するための図である。
【図３】  図１に示す腕巻タオルを折目ｘ，ｙで折り畳んで裏面が表側になるように帯状に形成する第２の方法を説明するための図である。
【図４】  図１に示す腕巻タオルを折目ｘ，ｙで折り畳んで裏面が表側になるように帯状に形成する第３の方法を説明するための図である。
【図５】  本実施例にかかる腕巻きタオルの６面図である。
【図６】  図５に示す腕巻きタオルの斜視図である。
【図７】  帯状に折り畳まれている図５に示す腕巻きタオルの斜視図である。
【図８】  輪状に形成されている図５に示す腕巻きタオルの斜視図である。
【符号の説明】
１、腕巻きタオル
２、本体部
２１、２１ｆ、２１ｂ、  中央部
２２、２２ｆ、２２ｂ、  右側部
２３、２３ｆ、２３ｂ、  左側部
１０、１０ｆ、１０ｂ、  突出片部
３０ａ〜３０ｄ、装着部材
【図１】
0003727926.tif 000002
【図２】
0003727926.tif 000003
【図３】
0003727926.tif 000004
【図４】
0003727926.tif 000005
【図５】
0003727926.tif 000006
【図６】
0003727926.tif 000007
【図７】
0003727926.tif 000008
【図８】
0003727926.tif 000009